(57)【要約】      （修正有）【課題】レイアウトコントローラにより設定された画像の表示状態に対応させて被検者への被曝量を減少させることが可能なＸ線撮影装置を提供する【解決手段】画像を拡大する操作が行われた場合において、選択された画像が現在撮影中の画像であった場合には、その情報はレイアウトコントローラ２７から制御部４０における撮影条件設定部４１に送信される。そして、撮影条件設定部４１は、コリメータ２３を制御することにより、各コリメータリーフを拡大後の画像領域に対応する位置まで閉じる方向に移動させる。これにより、被検者における必要な領域にのみＸ線を照射することができることから、画像の表示条件に対応させて被検者への被曝量を減少させることが可能となる。【選択図】図３
2015019784.tif 000002
【特許請求の範囲】
【請求項１】
Ｘ線を照射するＸ線管と、
前記Ｘ線管から照射され、被検者を通過したＸ線を検出するＸ線検出器と、
前記Ｘ線管から照射されたＸ線の照射領域に開閉可能に配設された複数のコリメータリーフを備え、前記Ｘ線管から照射されたＸ線の被検者に対する照射領域を規制するコリメータ部と、
前記Ｘ線検出器からの画像信号に基づいて作成された画像を含む画像を表示する画像表示部と、
を備えたＸ線撮影装置において、
前記画像表示部に表示する画像の倍率およびレイアウトを設定するためのレイアウトコントローラと、
前記レイアウトコントローラからの信号に基づいて前記コリメータリーフの開度を変更する撮影条件設定部と、
を備えたことを特徴とするＸ線撮影装置。
【請求項２】
請求項１に記載のＸ線撮影装置において、
前記撮影条件設定部は、前記コリメータリーフの開度に加え前記Ｘ線検出器によるＸ線の検出領域も変更することを特徴とするＸ線撮影装置。
【請求項３】
請求項１または請求項２に記載のＸ線撮影装置において、
前記レイアウトコントローラはタッチパネル式の液晶表示部を備え、
前記撮影条件設定部は、前記液晶表示部に対する操作に対応して、前記コリメータリーフの開度を変更するＸ線撮影装置。
【発明の詳細な説明】
【技術分野】
【０００１】
この発明は、Ｘ線管から照射されて被検者を通過したＸ線を検出するＸ線検出器を備え、Ｘ線による一般撮影またはＸ線による透視(これらを総称して「Ｘ線撮影」という)を実行するＸ線撮影装置に関する。
【背景技術】
【０００２】
このようなＸ線撮影装置においては、Ｘ線検出器からの画像信号に基づいて作成された画像を含む各種の画像を表示するための画像表示部が使用される。この画像表示部においては、例えば、心臓や血管の診断を実行する場合には、心臓や血管そのものの画像の他、過去の撮影画像、造影画像、超音波診断画像、その他の画像が表示される。この場合においては、複数の画像を同時に確認するため、単一の大型モニターに複数の画像を分割表示し、あるいは、複数のモニターを列設する構成が採用されている。
【０００３】
このようなＸ線撮影装置においては、画像表示部に表示する画像の倍率およびレイアウトを設定するためのレイアウトコントローラ（あるいはレイアウトコントロール用デバイス）と呼称される装置が使用される。このレイアウトコントローラは、タッチパネル式の液晶表示部を備え、この液晶表示部を操作することにより、画像表示部に表示される画像の倍率およびレイアウトを自由に変更する構成を有する。
【０００４】
特許文献１には、Ｘ線透視画像と内視鏡画像とを同一の表示部に表示するとともに、それらの表示サイズおよび表示位置を変化させるレイアウト制御手段を備えた医用画像診断装置が開示されている。
【先行技術文献】
【特許文献】
【０００５】
【特許文献１】特開２０１１−１３０７９３号公報
【発明の開示】
【発明が解決しようとする課題】
【０００６】
このようなレイアウトコントローラを備えたＸ線撮影装置においては、倍率を自由に変更できる一方、画像の表示領域の縦横比が固定される。その結果、画像中の関心領域が観察しやすいように拡大表示をすると、関心領域以外の部分が、表示領域の外にはみ出すように配置される場合も想定される。このような場合は、表示領域の外にはみ出した画像部分は、観察の対象ではないことから、そもそもＸ線照射を要さない領域であるということができる。
【０００７】
この状態でＸ線透視撮影を継続すると、本来Ｘ線照射を要さない部分にまでＸ線が照射されることとなり、撮影に不要な領域が必要のない被曝を受けることになるという問題が生ずる。また、モニターの表示領域の外側に位置する画像部分は、視認することができないため、コリメータの位置を確認することができず、無駄な照射が行われていることに気がつかないという問題があった。
【０００８】
この発明は上記課題を解決するためになされたものであり、レイアウトコントローラにより設定された画像の表示状態に対応させて被検者への被曝量を減少させることが可能なＸ線撮影装置を提供することを目的とする。
【課題を解決するための手段】
【０００９】
請求項１に記載の発明は、Ｘ線を照射するＸ線管と、前記Ｘ線管から照射され、被検者を通過したＸ線を検出するＸ線検出器と、前記Ｘ線管から照射されたＸ線の照射領域に開閉可能に配設された複数のコリメータリーフを備え、前記Ｘ線管から照射されたＸ線の被検者に対する照射領域を規制するコリメータ部と、前記Ｘ線検出器からの画像信号に基づいて作成された画像を含む画像を表示する画像表示部と、を備えたＸ線撮影装置において、前記画像表示部に表示する画像の倍率およびレイアウトを設定するためのレイアウトコントローラと、前記レイアウトコントローラからの信号に基づいて前記コリメータリーフの開度を変更する撮影条件設定部とを備えたことを特徴とする。
【００１０】
請求項２に記載の発明は、請求項１に記載の発明において、前記撮影条件設定部は、前記コリメータリーフの開度とともに、前記Ｘ線検出器によるＸ線の検出領域も変更する。
【００１１】
請求項３に記載の発明は、請求項１に記載の発明において、前記レイアウトコントローラはタッチパネル式の液晶表示部を備え、前記撮影条件設定部は、前記液晶表示部に対する操作に対応して、前記コリメータリーフの開度を変更する。
【発明の効果】
【００１２】
請求項１および請求項２に記載の発明によれば、レイアウトコントローラからの信号に基づいてＸ線撮影条件を変更することにより、レイアウトコントローラにより設定された画像の表示状態に対応させて被検者への被曝量を減少させることが可能となる。
【００１３】
請求項３に記載の発明によれば、タッチパネル式の液晶表示部を操作することによりレイアウト及び倍率を変更することができることから、Ｘ線撮影条件の変更をより容易に実行することが可能となる。
【図面の簡単な説明】
【００１４】
【図１】この発明に係るＸ線撮影装置における撮影機構の概要図である。
【図２】コリメータ２３の概要図である。
【図３】Ｘ線撮影装置の制御系を示すブロック図である。
【図４】レイアウトコントローラ２７に表示される画像を模式的に示す説明図である。
【図５】画像表示部２６に表示される画像を模式的に示す説明図である。
【発明を実施するための形態】
【００１５】
以下、この発明の実施の形態を図面に基づいて説明する。図１は、この発明に係るＸ線撮影装置における撮影機構の概要図である。
【００１６】
このＸ線撮影装置は、Ｘ線管３１と、このＸ線管３１から照射されてテーブル１９上の被検者を通過したＸ線を検出するＸ線検出器としてのフラットパネルディテクタ３２と、これらのＸ線管３１およびフラットパネルディテクタ３２を支持するＣ型アーム３３と、このＣ型アーム３３をスライド可能に支持する支持部３４と、この支持部３４を旋回させる旋回部３５と、この旋回部３５を床面に対して立設した状態で支持する支持部３６とを備える。
【００１７】
Ｃ型アーム３３には、円弧状の案内部３７が形成されており、支持部３４は、この案内部３７と係合することにより、Ｃ型アーム３３をスライド可能に支持している。Ｃ型アーム３３は、その両端部にＸ線管３１とフラットパネルディテクタ３２とを支持している。また、旋回部３５は、支持部３４をＣ型アーム３３等とともに、Ｘ線管３１からフラットパネルディテクタ３２に至るＸ線の軸線と直交する軸を中心に旋回させる。
【００１８】
この構成を有するＸ線撮影装置においては、旋回部３５により、支持部３４を介してＣ型アーム３３をＸ線管３１およびフラットパネルディテクタ３２等とともに、テーブル１９上に横たわった被検者を中心に旋回させる。そして、この状態において、Ｘ線管３１から照射され被検者を通過したＸ線をフラットパネルディテクタ３２で検出することにより、被検者の患部の画像データを得ることが可能となる。なお、このＸ線撮影時には、Ｘ線管３１から照射されたＸ線の照射領域は、後述するコリメータ２３により規制される。
【００１９】
図２は、コリメータ２３の概要図である。
【００２０】
このコリメータ２３は、Ｘ線管３１から照射されたＸ線の照射領域を制限してＸ線照射野Ｅを形成するためのものであり、図示しないモータの駆動により移動する４枚のコリメータリーフ２４を備える。このコリメータ２３は、Ｘ線管３１に対してフラットパネルディテクタ３２側の位置においてＸ線管３１と対向配置されている。
【００２１】
図３は、上述したＸ線撮影装置の制御系を示すブロック図である。
【００２２】
このＸ線透視撮影装置は、論理演算を実行するＣＰＵやデータを一時的に記憶するメモリからなり装置全体を制御する制御部４０を備える。この制御部４０は、フラットパネルディテクタ３２からの画像信号に基づいて作成された画像を含む各種の画像を表示するための大サイズの液晶表示パネルから成る画像表示部２６と接続されている。また、この制御部４０は、画像表示部２６に表示する画像の倍率およびレイアウトを設定するためのタッチパネル式の液晶表示部から成るレイアウトコントローラ２７と接続されている。また、この制御部４０は、上述したＸ線管３１、フラットパネルディテクタ３２およびコリメータ２３とも接続されている。さらに、この制御部４０は、レイアウトコントローラ２７からの信号に基づいてＸ線撮影条件を変更する撮影条件設定部４１と、フラットパネルディテクタ３２からの画像信号やレイアウトコントローラ２７からの指令に基づいて、画像表示部２６に表示する画像を作成するための画像処理部４２とを備えている。
【００２３】
このようなＸ線撮影装置を使用して被検者の診断等を行う場合には、被検者の患部の現時点での画像のみならず、過去の画像も参照画像として必要とされる場合がある。また、患部の異なる角度からの画像が必要となる場合がある。さらには、Ｘ線撮影画像の他に、造影画像や超音波診断画像等のその他の画像も参照される場合がある。このため、大サイズの画像表示部２６には、診断に必要とされる複数の画像が、異なる倍率および様々なレイアウトで表示されることが要求される。そして、レイアウトコントローラ２７は、画像表示部２６に表示する画像の倍率およびレイアウトを設定する。
【００２４】
図４は、レイアウトコントローラ２７に表示される画像を模式的に示す説明図であり、図５は、画像表示部２６に表示される画像を模式的に示す説明図である。
【００２５】
図４に示すように、レイアウトコントローラ２７には、画像表示部２６に表示されるべき各種の画像Ａ〜Ｇを、それらの倍率およびレイアウトを変更して表示する６種類のパターンが表示されている。また、レイアウトコントローラ２７には、画像の拡大、画面の縮小、画面の明るさの変更等を行うための操作領域である操作ボタン１〜４や、コリメータ２３におけるコリメータリーフ２４を開閉するための領域である操作ボタン５も表示されている。
【００２６】
オペレータがレイアウトコントローラ２７において６種類のパターンのうちの左上のパターンを選択した場合には、画像表示部２６には、図５に示す画像Ｃ、画像Ｄ、画像Ｅが所定の倍率およびレイアウトで配置された画像が表示される。このパターンの選択は、タッチパネル式の液晶表示部から成るレイアウトコントローラ２７の画面を操作することにより実行される。このパターンが選択されたという情報は、レイアウトコントローラ２７から制御部４０における撮影条件設定部４１に送信される。
【００２７】
オペレータは、図５に示す画像表示部２６の画像を確認し、必要に応じその表示状態を変更する。例えば、画像表示部２６に表示されたいずれかの画像が暗い場合には、図４に示すレイアウトコントローラ２７の操作ボタン１〜４のいずれかを操作することにより、画像を明るくするための操作を実行する。このような操作が行われると、その信号がレイアウトコントローラ２７から制御部４０における画像処理部４２に送信され、画像処理部４２は表示画像を明るくするような画像処理を実行する。また、画像表示部２６に表示されたいずれかの画像を拡大する場合には、図４に示すレイアウトコントローラ２７の操作ボタン１〜４のいずれかを操作することにより、必要な画像を拡大する。このような操作が行われた場合においても、その信号がレイアウトコントローラ２７から制御部４０における画像処理部４２に送信され、画像処理部４２は表示画像を拡大するような画像処理を実行する。
【００２８】
そして、画像を拡大する操作が行われた場合において、選択された画像が現在撮影中の画像であった場合には、画像を拡大したという情報は倍率の情報とともにレイアウトコントローラ２７から制御部４０における撮影条件設定部４１に送信される。そして、撮影条件設定部４１は、コリメータ２３を制御することにより、各コリメータリーフ２４を拡大後の画像領域に対応する位置まで閉じる方向に移動させる。これにより、被検者における必要な領域にのみＸ線を照射することができることから、レイアウトコントローラ２７により設定された画像の表示状態に対応させて被検者への被曝量を減少させることが可能となる。
【００２９】
なお、このように自動的にコリメータ２３における各コリメータリーフ２４を開閉する代わりに、オペレータがレイアウトコントローラ２７における操作ボタン５を操作してコリメータリーフ２４を移動させてもよい。この場合に、例えば、拡大後の画像Ｃの端部までコリメータリーフ２４を移動させる場合に、オペレータが図５に示す境界２０をタッチすることにより、レイアウトコントローラ２７から撮影条件設定部４１に信号を送信して、コリメータリーフ２４をその位置まで移動させるようにしてもよい。
【００３０】
また、オペレータがレイアウトコントローラ２７において選択したレイアウト及び拡大率に応じて、その情報がレイアウトコントローラ２７から制御部４０における撮影条件設定部４１に送信される。そして、撮影条件設定部４１は、コリメータリーフ２４を移送させる指令をコリメータ２３に送信するとともに、フラットパネルディテクタ３２に対して、視野サイズ（画像を読み出す領域の広さ）の変更指令を送信する。これによりフラットパネルディテクタ３２は、必要とされる視野サイズにおいてのみ画像情報を検出して、その画像データを画像処理部４２に送信する。
【００３１】
以上のように、この発明にかかるＸ線撮影装置においては、レイアウトコントローラ２７により設定した画像の倍率およびレイアウトに基づいて、コリメータリーフ２４を最適な位置まで移動させて被検者への被曝量を減少させることができ、また、必要な視野サイズで効率的にＸ線撮影を行うことが可能となる。また、コリメータリーフ２４の移動操作等を特別に行う必要がないことから、オペレータによる操作を簡略化することができ、Ｘ線撮影を効率的に実行することが可能となる。
【００３２】
なお、上述した実施形態においては、大サイズの液晶表示パネルから成る単一の画像表示部２６を使用しているが、中型または小型の画像表示部を複数個使用するようにしてもよい。
【００３３】
また、上述した実施形態においては、この発明を、Ｘ線管３１およびフラットパネルディテクタ３２を支持するＣ型アーム３３を備えたＸ線撮影装置に適用した場合について説明したが、例えば、Ｘ線管を天井から吊下する構成を有するＸ線撮影装置や、その他のＸ線撮影装置にこの発明を適用してもよい。
【符号の説明】
【００３４】
２３    コリメータ
２４    コリメータリーフ
２６    画像表示部
２７    レイアウトコントローラ
３１    Ｘ線管
３２    フラットパネルディテクタ
３３    Ｃ型アーム
４０    制御部
４１    撮影条件設定部
４２    画像処理部
【図１】
2015019784.tif 000003
【図２】
2015019784.tif 000004
【図３】
2015019784.tif 000005
【図４】
2015019784.tif 000006
【図５】
2015019784.tif 000007